(57)【特許請求の範囲】
【請求項１】
移動体とともに移動可能な携帯通信端末であって、
課金処理のためにＮＦＣ通信を行うＮＦＣ通信部と、
前記ＮＦＣ通信部が前記ＮＦＣ通信を行う際に送信する情報を記憶する記憶部と、
前記移動体とともに移動する際に、前記移動体が通過するゲートとＤＳＲＣ（登録商標）通信を行うＤＳＲＣ通信部と、
前記ゲートの通過に応じて、前記ＤＳＲＣ通信部を起動させ、前記記憶部に記憶された前記ＮＦＣ通信部が前記ＮＦＣ通信を行う際に送信する情報の中から、少なくとも電子マネー情報又はクレジットカード情報を除く情報であって前記ＤＳＲＣ通信に必要な情報を抽出し、当該抽出した情報を前記ＤＳＲＣ通信部から前記ゲートに送信させる制御部と、を有することを特徴とする携帯通信端末。
【請求項２】
さらに、位置を検出する位置検出部を有し、
前記制御部は、前記位置検出部で検出した位置情報と、予め記憶された前記ゲートの位置情報とに基づいて、前記ゲートとの距離が予め設定された距離以内である場合には、前記ＤＳＲＣ通信部を起動させることを特徴とする請求項１に記載の携帯通信端末。
【請求項３】
前記制御部は、前記ＤＳＲＣ通信部の起動後に、前記ゲートとの距離が予め設定している距離以上である場合は、前記ＤＳＲＣ通信部を停止させることを特徴とする請求項２に記載の携帯通信端末。
【請求項４】
さらに、基地局から送信される電波を受信する受信部を有し、
前記制御部は、前記受信部が受信した電波にゲートの周辺であることを示す情報が含まれていることを検出したら、前記ＤＳＲＣ通信部を起動させることを特徴とする請求項１から３のいずれか１項に記載の携帯通信端末。
【請求項５】
前記制御部は、前記ＤＳＲＣ通信部の起動後に、前記受信部が受信した電波にゲートの周辺であることを示す情報が含まれていることが検出されない場合は、前記ＤＳＲＣ通信部を停止させることを特徴とする請求項４に記載の携帯通信端末。
【請求項６】
前記制御部は、前記記憶部に記憶された複数の情報から、前記ゲートの通過時に使用する設定となっている情報のみを抽出し、前記ＤＳＲＣ通信部から送信させることを特徴とする請求項１から５のいずれか１項に記載の携帯通信端末。
【請求項７】
前記ＤＳＲＣ通信部は、前記記憶部から供給された情報をＤＳＲＣ通信方式に変換した後、前記ゲートに送信することを特徴とする請求項１から６のいずれか１項に記載の携帯通信端末。
【請求項８】
前記ＤＳＲＣ通信部は、前記ゲートから送信された課金情報をＮＦＣ通信方式に変換し、変換した課金情報を用いて、前記記憶部のデータを更新することを特徴とする請求項１から７のいずれか１項に記載の携帯通信端末。
【請求項９】
請求項１から８のいずれか１項に記載の携帯通信端末と、
前記ＤＳＲＣ通信部と通信を行うゲート通信部及び前記ゲート通信部が受信した情報に基づいて課金情報を作成するゲート制御部を有するゲートとを備えることを特徴とする通信システム。
【請求項１０】
ゲートを通過する移動体とともに移動可能な携帯通信端末の通信方法であって、
前記ゲートの通過を検出する工程と、
前記ゲートの通過を検出したら、ＤＳＲＣ通信部を起動させる工程と、
ＮＦＣ通信部が前記ＮＦＣ通信を行う際に送信する情報を読み取り、読み取った情報の中から、少なくとも電子マネー情報又はクレジットカード情報を除く情報であってＤＳＲＣ通信に必要な情報を抽出する工程と、
抽出した情報をＤＳＲＣ通信により前記ゲートに送信する工程と、
前記ゲートから送信された課金情報を受信し、受信した課金情報に基づいて、前記非接触型ＩＣカードに記憶されている情報を更新する工程と、を有することを特徴とする通信方法。
【発明の詳細な説明】
【技術分野】
【０００１】
本発明は、端末と通信を行い、情報の送受信を行う携帯通信端末、通信システム及び通信方法に関する。
【背景技術】
【０００２】
近年、高速道路料金の課金システムとして、ＤＳＲＣ（登録商標、Dedicated  Short  Range  Communication）通信を利用した、ＥＴＣ（登録商標、Electronic  Toll  Collection  System）システムがある。このＥＴＣシステムを搭載した携帯電話機が提案されている。例えば、特許文献１には、ＥＴＣアンテナと、ＥＴＣ転送アンテナとを有し、ＥＴＣアンテナで料金情報を受信したら、ＥＴＣ転送アンテナで料金情報を電話会社に転送する携帯電話機が記載されている。
【０００３】
また、近年、携帯電話機では、いわゆるおサイフケータイといわれる機能を備える携帯通信端末がある。この携帯通信端末は、非接触型ＩＣカードを有し、この非接触型ＩＣカードと専用機器との間で通信を行うことで課金情報の交換を行う。
【先行技術文献】
【特許文献】
【０００４】
【特許文献１】特開２００８−２７４０５号公報
【発明の概要】
【発明が解決しようとする課題】
【０００５】
しかし、車両に固定されているＥＴＣ用の端末は、電源を車両から取得しているため電力消費を考慮する必要はないのに対して、携帯通信端末は、常に充電できる状態ではないため、使用できる電力に限界があるという問題がある。
【０００６】
本発明は、上記に鑑みてなされたものであって、消費電力を低減しつつ、課金処理のためのＤＳＲＣ通信を行うことができる携帯通信端末、通信システム及び通信方法を提供することを目的とする。
【課題を解決するための手段】
【０００７】
上述した課題を解決し、目的を達成するために、本発明は、移動体とともに移動可能な携帯通信端末であって、課金処理のためにＮＦＣ通信を行うＮＦＣ通信部と、前記ＮＦＣ通信部が前記ＮＦＣ通信を行う際に送信する情報を記憶する記憶部と、前記移動体とともに移動する際に、前記移動体が通過するゲートとＤＳＲＣ通信を行うＤＳＲＣ通信部と、前記ゲートの通過に応じて、前記ＤＳＲＣ通信部を起動させ、前記記憶部に記憶された前記ＮＦＣ通信部が前記ＮＦＣ通信を行う際に送信する情報の中から、少なくとも電子マネー情報又はクレジットカード情報を除く情報であって前記ＤＳＲＣ通信に必要な情報を抽出し、当該抽出した情報を前記ＤＳＲＣ通信部から前記ゲートに送信させる制御部と、を有することを特徴とする。
【０００８】
さらに、位置を検出する位置検出部を有し、前記制御部は、前記位置検出部で検出した位置情報と、予め記憶された前記ゲートの位置情報とに基づいて、前記ゲートとの距離が予め設定された距離以内である場合には、前記ＤＳＲＣ通信部を起動させることことが好ましい。
【０００９】
また、前記制御部は、前記ＤＳＲＣ通信部の起動後に、前記ゲートとの距離が予め設定している距離以上である場合は、前記ＤＳＲＣ通信部を停止させることが好ましい。
【００１０】
さらに、基地局から送信される電波を受信する受信部を有し、前記制御部は、前記受信部が受信した電波にゲートの周辺であることを示す情報が含まれていることを検出したら、前記ＤＳＲＣ通信部を起動させることが好ましい。
【００１１】
また、前記制御部は、前記ＤＳＲＣ通信部の起動後に、前記受信部が受信した電波にゲートの周辺であることを示す情報が含まれていることが検出されない場合は、前記ＤＳＲＣ通信部を停止させることが好ましい。
【００１２】
また、前記制御部は、前記記憶部に記憶された複数の情報から、前記ゲートの通過時に使用する設定となっている情報のみを抽出し、前記ＤＳＲＣ通信部から送信させることが好ましい。
【００１３】
また、前記ＤＳＲＣ通信部は、前記記憶部から供給された情報をＤＳＲＣ通信方式に変換した後、前記ゲートに送信することが好ましい。
【００１４】
また、前記ＤＳＲＣ通信部は、前記ゲートから送信された課金情報をＮＦＣ通信方式に変換し、変換した課金情報を用いて、前記記憶部のデータを更新することが好ましい。
【００１５】
上述した課題を解決し、目的を達成するために、本発明は、通信システムであって、上記のいずれかに記載の携帯通信端末と、前記ＤＳＲＣ通信部と通信を行うゲート通信部及び前記ゲート通信部が受信した情報に基づいて課金情報を作成するゲート制御部を有するゲートとを備えることを特徴とする。
【００１６】
上述した課題を解決し、目的を達成するために、本発明は、ゲートを通過する移動体とともに移動可能な携帯通信端末の通信方法であって、前記ゲートの通過を検出する工程と、前記ゲートの通過を検出したら、ＤＳＲＣ通信部を起動させる工程と、ＮＦＣ通信部が前記ＮＦＣ通信を行う際に送信する情報を読み取り、読み取った情報の中から、少なくとも電子マネー情報又はクレジットカード情報を除く情報であってＤＳＲＣ通信に必要な情報を抽出する工程と、抽出した情報をＤＳＲＣ通信により前記ゲートに送信する工程と、前記ゲートから送信された課金情報を受信し、受信した課金情報に基づいて、前記非接触型ＩＣカードに記憶されている情報を更新する工程と、を有することを特徴とする。
【発明の効果】
【００１７】
本発明にかかる携帯通信端末、通信システム及び通信方法は、セキュリティを高く維持したまま、ＤＳＲＣ通信を行うことができ、かつ、長時間の利用が可能であるという効果を奏する。
【図面の簡単な説明】
【００１８】
【図１】図１は、本発明の通信システムを構成する本発明の携帯通信端末の一実施形態の概略構成を示す正面図である。
【図２】図２は、図１に示す携帯通信端末の機能の概略構成を示すブロック図である。
【図３】図３は、非接触型ＩＣカードの記憶領域の一例を模式的に示す説明図である。
【図４】図４は、通信システムの動作を説明するための説明図である。
【図５】図５は、通信システムの動作を説明するための説明図である。
【図６】図６は、携帯通信端末の処理動作の一例を示すフロー図である。
【発明を実施するための形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、通信システムを、携帯通信端末と車両が通過する料金所とで構成したが、携帯通信端末と通信する機器は、料金所に限定されず、携帯通信端末とＤＳＲＣ通信で課金処理のやり取りを行う種々の機器を用いることができる。また、以下においては、携帯通信端末として携帯電話機を例として説明するが、本発明の適用対象は携帯電話機に限定されるものではなく、例えば、ＰＨＳ（Personal Handyphone System）、ＰＤＡ、ポータブルナビゲーション装置、ゲーム機、表示装置付きカード等に対しても本発明は適用できる。
【００２０】
図１は、本発明の通信システムを構成する本発明の携帯通信端末の一実施形態の概略構成を示す正面図である。また、図２は、図１に示す携帯通信端末の機能の概略構成を示すブロック図である。まず、携帯通信端末の構成を説明する。携帯通信端末１は、筐体１Ｃが第１筐体１ＣＡと第２筐体１ＣＢとで開閉可能に構成された、折り畳み式の携帯電話機である。なお、図１は、携帯通信端末１を開いた状態である。
【００２１】
第１筐体１ＣＡには、表示部として、図１に示すメインディスプレイ２Ｍが設けられる。メインディスプレイ２Ｍは、所定の画像として、携帯通信端末１が受信を待機している状態のときに待ち受け画像を表示したり、携帯通信端末１の操作を補助するために用いられるメニュー画像を表示したりする。また、図１に示すように、第１筐体１ＣＡには、携帯通信端末１の通話時に音声を発するレシーバ６が設けられている。
【００２２】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための方向及び決定キー４が設けられる。なお、操作キー３及び方向及び決定キー４は、携帯通信端末１の操作部２８（図２参照）を構成する。また、第２筐体１ＣＢには、携帯通信端末１の通話時に音声を受け取るマイク５が設けられる。
【００２３】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯通信端末１が開き、第１筐体１ＣＡと第２筐体１ＣＢとが互いに接近する方向に回動すると携帯通信端末１が閉じる。
【００２４】
次に、図２を用いて、携帯通信端末の機能と制御部との関係を説明する。携帯通信端末１は、主制御部２２と、記憶部２４と、通信部２６と、操作部２８と、入力データ取得部２９と、音声処理部３０と、表示部３２と、表示制御部３３と、非接触型ＩＣカード（Integrated Circuit Card）３６と、ＤＳＲＣ（Dedicated Short Range Communication）制御部３８と、ＤＳＲＣ通信部４０と、ＧＰＳ通信部４２と、を有する。
【００２５】
主制御部２２は、携帯通信端末１の全体的な動作を統括的に制御する処理部、例えばＣＰＵ（Central Processing Unit）である。すなわち、携帯通信端末１の各種の処理が、操作部２８の操作や携帯通信端末１の記憶部２４に保存されるソフトウェアに応じて適切な手順で実行されるように、通信部２６、表示部３２、非接触型ＩＣカード３６、ＤＳＲＣ制御部３８、ＤＳＲＣ通信部４０、ＧＰＳ通信部４２等の動作を制御する。主制御部２２は、記憶部２４に保存されているプログラム（例えば、オペレーティングシステムプログラム、アプリケーションプログラム等）に基づいて処理を実行する。記憶部２４には、主制御部２２での処理に利用されるソフトウェアやデータが保存されている。具体的には、非接触型ＩＣカード３６の動作を制御するソフトウェアや、他の端末との通信の制御を行うソフトウェア等が保存されている。
【００２６】
通信部２６は、基地局によって割り当てられるチャネルを介し、基地局との間でＣＤＭＡ方式などによる無線信号回線を確立し、基地局との間で電話通信及び情報通信を行う。
【００２７】
操作部２８は、例えば、電源キー、通話キー、数字キー、文字キー、方向キー、決定キー、発信キーなど、各種の機能が割り当てられた操作キー３と、方向及び決定キー４とで構成され、これらのキーがユーザの操作により入力されると、その操作内容に対応する信号を発生させる。そして、発生した信号は、ユーザの指示として入力データ取得部２９へ入力される。
【００２８】
入力データ取得部２９は、操作部２８から発生した信号と、入力の設定に基づいて、制御信号を生成し、生成した制御信号を主制御部２２に入力する。例えば、文字入力の場合は、操作キー３の各キーの操作回数に基づいて、各キーに割り当てられている文字から１つの文字を抽出し、文字情報として主制御部２２に出力する。
【００２９】
音声処理部３０は、マイク５に入力される音声信号やレシーバ６から出力される音声信号の処理を実行する。
【００３０】
表示部３２は、液晶ディスプレイ（ＬＣＤ、Liquid Crystal Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。
【００３１】
非接触型ＩＣカード３６は、FeliCa（登録商標）、MIFARE（登録商標）等の非接触で専用の通信部、具体的には短距離無線通信部との通信を行うことができるＩＣチップである。ここで、図３は、非接触型ＩＣカードの記憶領域の一例を模式的に示す説明図である。図３に示すように、非接触型ＩＣカード３６には、記憶部として複数の記憶領域が設けられており、それぞれの記憶領域には、各種電子マネーの情報、チケット情報、識別情報等が記憶されている。図３に示す例では、記憶領域５０ａには、Ｅｄｙ（登録商標）に関する情報が記憶され、記憶領域５０ｂには、クーポンＡの情報が記憶され、記憶領域５０ｃには、Ｓｕｉｃａ（登録商標）に関する情報が記憶され、記憶領域５０ｄには、ＥＴＣに関する情報が記憶される。ここで、Ｅｄｙ（登録商標）、Ｓｕｉｃａ（登録商標）等の電子マネーに関する情報としては、識別情報、残金情報等がある。また、Ｓｕｉｃａ（登録商標）に関する情報には、定期券の情報（区間、期間）や、年齢（子供か大人か）等の情報も含まれる。また、クーポンＡの情報としては、割引情報、使用期限、使用可能な店舗の情報等がある。また、ＥＴＣに関する情報としては、ＥＴＣカードの情報、使用車両の情報（車種の情報）、課金方法の情報（課金を行う電子マネーの情報）等がある。
【００３２】
また、非接触型ＩＣカード３６は、短距離無線通信部と通信を行うことで、記憶している情報を短距離無線通信部に送ったり、短距離無線通信部から送られた情報を受信したりする。非接触型ＩＣカード３６は、受信した情報を記憶する。つまり、非接触型ＩＣカード３６は、短距離無線通信部との通信により、記憶した情報を書き換えることができる。また、非接触型ＩＣカード３６は、主制御部２２の制御によっても情報の読み出し、書き換えを行う。このように、非接触型ＩＣカード３６は、他の通信部、主制御部２２により読み出し、書き換えを行うことで、課金処理、個体識別の処理を行い、記憶されている情報の更新や、使用、チャージに応じた残金情報の書き換えを行う。
【００３３】
ＤＳＲＣ制御部３８は、ＤＳＲＣ電源制御部４６と、通信データ変換部４８と、を有し、主制御部２２の制御に基づいて、ＤＳＲＣ通信部４０の動作を制御する。ＤＳＲＣ電源制御部４６は、ＤＳＲＣ通信部４０に電力を供給するか否かを制御し、ＤＳＲＣ通信部４０の駆動を制御する。通信データ変換部４８は、主制御部２２から送られる各種情報をＤＳＲＣ通信で通信可能な形式に変換してＤＳＲＣ通信部４０に供給する。また、通信データ変換部４８は、ＤＳＲＣ通信部４０で受信した情報を主制御部２２で処理可能な形式や、非接触型ＩＣカード３６に記憶させることができる形式に変換して主制御部２２に送る。これにより、ＤＳＲＣ通信部４０で適切な通信を行うことができ、かつ、主制御部２２で各種情報を処理することができる。
【００３４】
ＤＳＲＣ通信部４０は、所定の領域内に配置されたＤＳＲＣ通信方式の通信部と通信を行い、情報のやり取りを行う。
【００３５】
ＧＰＳ通信部４２は、ＧＰＳ衛星から発信されるＧＰＳ信号を受信する通信部である。また、ＧＰＳ通信部４２は、受信したＧＳＰ信号から携帯通信端末１の緯度経度を算出し、算出した緯度経度の情報を主制御部２２に送る。
【００３６】
次に、図４及び図５を用いて、携帯通信端末を用いた通信システムの動作について説明する。ここで、図４及び図５は、通信システムの動作を説明するための説明図である。また、図４及び図５に示す例は、携帯通信端末１が内部に配置された車両１００が、道路１０２を走行し、料金所１０４を通過する例である。通信システム１０３は、車両１００の内部に配置された携帯通信端末１と、料金所１０４と、特定基地局１０６とで構成されている。
【００３７】
料金所１０４は、車両１００が通過する際に、車両の種類、走行区間に応じて、課金を行う。料金所１０４には、ＥＴＣシステムを利用して、車両１００に配置された端末と通信を行う自動的に課金を行うことができるＥＴＣレーン１１０を有する。ＥＴＣレーン１１０については、後ほど説明する。
【００３８】
特定基地局１０６は、料金所１０４の近傍に設けられ、所定の範囲（図４中、通知エリア１０８）内にある携帯通信端末１に向けて、ＥＴＣレーン１１０があることを示す情報を送る。なお、ＥＴＣレーン１１０があることを示す情報は、エリア内の多くの端末に同時に情報を送信する方法、例えば、ＢＣＭＣＳ（Broadcast/Multicast Services）で送ることができる。なお、特定基地局１０６は、ＥＴＣレーン１１０があることを示す情報以外にも、他の基地局と同様に、必要に応じて、通話を行うために必要な電波や、インターネットを行うために必要な電波も供給する。
【００３９】
ここで、携帯通信端末１は、特定基地局１０６から送られる電波を通信部２６により受信し、受信した電波を主制御部２２で解析することで、ＥＴＣレーン１１０があることを示す情報があることを検出したり、通話をおこなったり、着信を検知したり、インターネットをしたりする。また、通話時及びインターネット使用時は、携帯通信端末１の通信部２６から特定基地局１０６へも情報が送信される。携帯通信端末１は、特定基地局１０６から送られる電波を受信する領域に入ったら、ＥＴＣレーンがあることを示す情報を受信するため、ＥＴＣレーンが一定範囲内にあることを検知することができる。
【００４０】
次に、図５を用いて、ＥＴＣレーン１１０の構成について説明する。ＥＴＣレーン１１０は、ゲート１１２と、ゲート制御部１１４と、ゲート通信部１１６とを有する。
【００４１】
ゲート１１２は、バー１１２ａを備え、ＥＴＣレーン１１０の車両１００が通過する通路に配置されている。ゲート１１２は、バー１１２ａを上げること（図５中実線の位置とすること）で、車両１００が通路を通過できる状態とし、バー１１２ａを下げること（図５中点線の位置とすること）で、車両１００が通路を通過できない状態とする。このように、ゲート１１２は、バー１１２ａを上下（開閉）させることで、車両１００を通過させるか否か切り替える。
【００４２】
ゲート制御部１１４は、ゲート１１２の動作を制御する制御部であり、ゲート通信部１１６から受信した情報に基づいて、車両１００を通過させるか否かを判定し、ゲート１１２のバー１１２ａの位置を設定する。具体的には、ゲート制御部１１４は、ゲート通信部１１６を用いて、車両１００がＤＳＲＣ通信機能を有する端末を備えているかを検出する。その後、ゲート制御部１１４は、検出した端末と通信を行い、適切な課金処理が実行されたら、バー１１２ａを上げ、車両１００を通過させる。また、各種処理が実行できない場合は、バー１１２ａを下げた状態とし、通過できない状態とする。
【００４３】
ゲート通信部１１６は、車両１００の内部に配置されたＤＳＲＣ通信機能を有する端末との間で通信を行い、ＥＴＣの課金処理に必要な情報を取得し、取得した情報に基づいて、料金を算出し、端末に課金情報を送る。なお、本発明では、ＤＳＲＣ通信機能を有する端末は、携帯通信端末１であり、ゲート通信部１１６と通信を行うのは、ＤＳＲＣ通信部４０である。
【００４４】
次に、携帯通信端末１の動作について説明する。図６は、携帯通信端末の処理動作の一例を示すフロー図である。ここで、携帯通信端末１は、図４及び図５で説明したように、車両１００の内部に配置されている。また、非接触型ＩＣカード３６には、車両１００のＥＴＣ装置として必要な情報、ＥＴＣカードの番号、車両１００を特定するための情報が記憶されている。
【００４５】
まず、携帯通信端末１の主制御部２２は、ステップＳ１２として位置情報取得手段を起動させる。ここで、本実施形態において、位置情報取得手段は、通信部２６と主制御部２２となり、通信部２６が基地局から取得する情報を主制御部２２で処理することで、位置情報を検出する。また、主制御部２２と、通信部２６とは、携帯通信端末１が起動されている間は、常に起動されている。そのため再び起動はせず、位置情報のみを取得する。
【００４６】
次に、主制御部２２は、ステップＳ１２で該当手段を起動させ、位置情報を取得したら、ステップＳ１４として、ステップＳ１２で検出した位置情報からＥＴＣレーンに接近しているかを検知する。つまり、主制御部２２は、一定距離内にＥＴＣレーン１１０があるかを判定する。なお、主制御部２２は、上述したように、通信部２６で受信した情報に、ＥＴＣレーン１１０があることを示す情報が含まれていることを検出したら、ＥＴＣレーン１１０が接近していると判定し、ＥＴＣレーン１１０があることを示す情報を検出しない場合は、ＥＴＣレーン１１０は接近していないと判定する。
【００４７】
主制御部２２は、ステップＳ１４でＥＴＣレーン１１０が接近していない（Ｎｏ）と判定したら、ステップＳ１２に進み、再び位置情報を取得する。主制御部２２は、ＥＴＣレーン接近を検知するまで、ステップＳ１２とステップＳ１４の処理を繰り返す。
【００４８】
主制御部２２は、ステップＳ１４でＥＴＣレーン１１０が接近していることを検知（Ｙｅｓ）したら、ステップＳ１６として、ＤＳＲＣ通信部４０の起動処理を行う。具体的には、主制御部２２は、ＤＳＲＣ電源制御部４６を制御して、ＤＳＲＣ通信部４０への電力の供給を開始させる。これにより、ＤＳＲＣ通信部４０は、電波の出力を開始する。その後、ＤＳＲＣ通信部４０は、電波の届く射程範囲内に他の通信部（ゲート通信部）があることを検出したら、通信を開始して、認証し、情報のやり取りを開始する。
【００４９】
また、主制御部２２は、ステップＳ１６でＤＳＲＣ通信部４０を起動させたら、ステップＳ１８として、ＩＣカード（つまり、非接触型ＩＣカード３６）に記憶されている情報を取得し、その後、ステップＳ２０として、取得した情報に該当項目があるかを判定する。具体的には、ＥＴＣレーン１１０を通過する際に、ゲート通信部１１６に送る必要がある情報、例えば、ＥＴＣカードの情報、車両情報、課金方法等の情報がステップＳ１８で取得した情報に含まれているかを判定する。
【００５０】
主制御部２２は、ステップＳ２０で該当項目がない（Ｎｏ）、つまり、必要な情報を取得できていないと判定したら、ステップＳ２２として、再取得を行うかを判定する。具体的には、ＩＣカード情報の再取得を行うかを判定する。ここで、再取得を行うかは、予め入力された設定に基づいて判定しても、操作者にメッセージを通知し、入力された指示に基づいて判定してもよい。予め入力された設定としては、情報の読み込みを一定回数繰り返す設定がある。
【００５１】
主制御部２２は、ステップＳ２２で、再取得する（Ｙｅｓ）と判定したら、ステップＳ１８に進み再びＩＣカード情報を取得の処理を行う。また、主制御部２２は、ステップＳ２２で再取得しない（Ｎｏ）と判定したら、ステップＳ２４として、エラー報知処理を行い、処理を終了する。ここで、エラー報知処理としては、携帯通信端末１の表示部３２に必要な情報が入力されていない旨のメッセージを表示させる処理や、携帯通信端末１から所定の警報音、音声を出力する処理がある。
【００５２】
主制御部２２は、ステップＳ２０で該当項目あり（Ｙｅｓ）と判定したら、ステップＳ２６として、ＥＴＣ通過必要情報の取得処理を行う。つまり、主制御部２２は、ステップＳ１８で取得したＩＣカードの情報のうち、ＥＴＣレーンを通過するためにゲート通信部１１６に送る情報（例えば、車種情報、ＥＴＣカード情報等）のみを抽出する処理を行う。なお、主制御部２２は、ステップＳ１８でＩＣカードに記憶されている全ての情報を読み出している。
【００５３】
主制御部２２は、ステップＳ２６でＥＴＣ通過必要情報を取得したら、ステップＳ２８として、ステップＳ２６で抽出したＥＴＣ通過必要情報をゲート通信部１１６に送信する。なお、主制御部２２は、ステップＳ２６で取得したＥＴＣ通過必要情報を、ＤＳＲＣ制御部３８の通信データ変換部４８でＤＳＲＣ通信方式の情報に変換した後、ＤＳＲＣ通信部４０からゲート通信部１１６に送る。また、ゲート通信部１１６及びゲート制御部１１４は、受け取ったＥＴＣ通過必要情報に基づいて、車両１００の通過に対して課金する料金を算出し、課金情報を作成する。ここで、ゲート通信部１１６及びゲート制御部１１４は、高速道路の入り口等、課金する料金が０円のゲートである場合は、０円の課金情報を作成すればよい。ゲート通信部１１６及びゲート制御部１１４は、課金情報を作成したら、作成した課金情報をゲート通信部１１６からＤＳＲＣ通信部４０に送る。
【００５４】
主制御部２２は、ステップＳ２８でＥＴＣ通過必要情報を送ったら、ステップＳ３０として課金情報を取得する。つまり、主制御部２２は、ＥＴＣレーン１１０がステップＳ２８で送信した情報に基づいて作成した課金情報をＤＳＲＣ通信部４０が受信する。なお、ＥＴＣレーン１１０は、ゲート通信部１１６からＤＳＲＣ通信部４０に課金情報を送信したら、車両１００への課金が完了したと判定し、バー１１２ａを上げ、車両１００がＥＴＣレーン１１０を通過できる状態とする。
【００５５】
次に、主制御部２２は、ステップＳ３０で課金情報を取得したら、ステップＳ３２として、取得した課金情報をＤＳＲＣ制御部３８に取り込み、ステップＳ３４として、ＩＣカード情報への変換処理を行う。つまり、主制御部２２は、課金情報をＤＳＲＣ制御部３８の通信データ変換部４８でＤＳＲＣ通信方式のデータから主制御部２２で処理可能な方式のデータに変換する。その後、さらに、ステップＳ１８で取得したＩＣカード情報に含まれる電子マネーの残金情報を、取得した課金情報に基づいて変換する。つまり、電子マネーの残金から課金された分の金額を引いた額を新たな残金情報とする。なお、その際、課金される電子マネーが複数ある場合は、予め設定されている電子マネーに対して課金すればよい。
【００５６】
主制御部２２は、ステップＳ３４でＩＣカード情報を変換したら、ステップＳ３６として、変換したＩＣカード情報を非接触型ＩＣカード３６に書き込む処理を行う。つまり、主制御部２２は、ＥＴＣレーン１１０の通過により取得した情報（課金情報、通過情報）に基づいて、非接触型ＩＣカード３６に記憶されている情報を更新する。
【００５７】
主制御部２２は、ステップＳ３６のＩＣカードへの書き込み処理を行ったら、ステップＳ３８として、ＤＳＲＣ通信部４０の終了処理を行い、処理を終了する。つまり、主制御部２２は、ＤＳＲＣ通信部４０への電力の供給を停止して、通信機能を停止させた後、処理を終了する。
【００５８】
このように、携帯通信端末１は、ＤＳＲＣ通信を行うＤＳＲＣ通信部４０及びＤＳＲＣ制御部３８を備え、非接触型ＩＣカード３６に通信に必要な情報を記憶させることで、携帯通信端末１がゲート通過する時に、非接触型ＩＣカード３６に記憶されている情報をゲートに送信することができる。これにより、本実施形態では、課金処理を速やかに行うことができる。
【００５９】
また、ゲートとの距離が予め設定された距離以内であることを検出したら、本実施形態では、ＥＴＣレーンが近づいているかを検出し、ＥＴＣレーン１１０が一定距離以内に近づいた場合、具体的には、特定基地局１０６から出力される特定の信号を受信した場合に、ＤＳＲＣ通信部４０を起動させる。これにより、ＤＳＲＣ通信部４０から常時電波を出力し、ＥＴＣレーン１１０等の通信対象があるかを探知する必要がなくなり、消費電力を低減することができる。このように、消費電力を少なくできるため、携帯通信端末１を長時間稼動させることができる。また、本実施形態では、着信、ブロードキャスト情報等を検知するために、常時起動されている通信部の機能を利用しているため、新たに電波の受信をする必要がないため、携帯電話機としての消費電力の増加を少なくすることができる。これにより、車両１００に対して独立している携帯通信端末１を用いた場合でも、長時間利用することができる。さらに、特定の信号を受信していない場合は、ＤＳＲＣ通信部４０を停止させるようにすることで、より消費電力を少なくすることができる。
【００６０】
さらに、非接触型ＩＣカードから読み取った情報のうち、必要な情報のみを抽出し、ゲート通信部に送ることで、携帯通信端末１に記憶されている情報が漏洩することを抑制できる。具体的には、非接触型ＩＣカードを用いたＮＦＣ通信では、記憶領域にある全ての情報を送信してしまうが、本発明の装置によれば、必要な情報のみを抽出するため、非接触型ＩＣカードに記憶されている電子マネーの情報、クレジットカードの情報をＤＳＲＣ通信で送信することを抑制できる。これにより、ＤＳＲＣ通信が不正に傍受された場合でも、漏洩する情報を最小限にすることができ、セキュリティを高くすることができる。
【００６１】
また、ゲート通信部とは、ＤＳＲＣ通信で通信できるため、既存のＥＴＣのシステムを利用することができる。また、ＤＳＲＣ通信を用いることで、ＮＦＣ通信よりも遠距離での通信が可能となり、携帯電子端末を車内に配置したままで通信が可能となる。つまり、携帯通信端末の非接触型ＩＣカードを専用の読み取り機に近づけて、かざすことなく処理することができる。また、通信端末機器を持つのみでゲート（ＥＴＣレーン）を通過することができる。
【００６２】
また、ＤＳＲＣ通信で取得した課金情報を非接触型ＩＣカードにチャージされている電子マネーで決算することにより、課金処理を速やかに行うことができる。また、別途クレジットカード等の登録が必要なくなる。なお、上記実施形態では、携帯通信端末の機能をより有効活用できるため、電子マネーで決算する構成としたが、非接触型ＩＣカードにクレジットカードの番号を記憶させておき、ＤＳＲＣ通信でゲート通信部にクレジットカードの番号を通知して、クレジットカード決算を行うようにしてもよい。また、携帯電話機を特定する情報を送信し、携帯電話機の利用料金として引き落とすようにしてもよい。
【００６３】
また、上記実施形態では、ゲートのバーを上げて車両が通過可能な状態とする必要があるため、ゲートの一定距離内に近づいて、かつ、ゲートを通過する前に、ＤＳＲＣ通信部による通信を開始したが、本発明はこれに限定されない。また、遮断機等を用いた通過の制限を行わずに、課金を行う場合には、ゲートの通過前、通過中、通過後のいずれタイミングでＤＳＲＣ通信部を起動させるようにしてもよい。走行路に制限がある環境であれば、ゲートの下流側（ゲート通過後の走行路）には、ゲートを通過した車両のみしかないため、適正に課金を行うことができる。
【００６４】
なお、上記実施形態では、携帯通信端末と通信するゲートが、道路の料金所として設けられている場合で説明したが、ゲートの設置場所、利用目的はこれに限定されない。例えば、駐車場や、車で入る映画館の入場／退場ゲートとして用いてもよい。また、ドライブスルーのゲートとして用い、ドライブスルーで買い物した料金の支払いに本通信システムを利用してもよい。さらに、ガソリンスタンドでの料金の支払いに本通信システムを利用してもよい。さらに、本実施形態では、車両として自動車を用いたが、本発明はこれに限定されない。例えば、バイク（二輪自動車）や、自転車が通過するゲートとしても用いることができる。さらに、人が通るゲートにも用いることができる。つまり、移動体としては、携帯通信端末とともに移動する種々の対象を用いることができる。
【００６５】
また、上記実施形態では、基地局から特定の情報が出力されているかで、ＥＴＣレーン（通信対象）が近づいているかを判定したが、位置の検出方法、通信対象が近くにいるかの判定方法はこれに限定されない。つまり、位置検出部の構成はこれに限定されない。例えば、予め通信対象の位置情報を記憶部２４等に記憶しておき、通信部２６が電波を受信している基地局の位置情報から、携帯通信端末１（車両１００）の位置情報を算出し、その位置情報と、記憶部に記憶させている通信対象の位置情報とから、通信対象が近くにあるかを判定してもよい。なお、この場合、基地局からは、通信対象が近くにいる等の情報を出力する必要がなくなり、基地局から出力している情報を変更する必要がなくなる。また、基地局の情報から位置を検出することに限定されず、ＧＰＳ通信部４２を用いて、携帯通信端末１の位置情報を検出してもよい。
【００６６】
また、上記実施形態では、非接触型ＩＣカードの情報を主制御部で読み取り書き込みできるようにしたが、非接触型ＩＣカードを独立させ、主制御部と接続され、非接触型ＩＣカードの情報を読み取り、書き込みができるＮＦＣ通信部（短距離無線通信部）を設ける構成としてもよい。
【産業上の利用可能性】
【００６７】
以上のように、本発明にかかる携帯通信端末、通信システム及び通信方法は、ＤＳＲＣ通信を行う携帯通信端末に用いることに有用である。
【符号の説明】
【００６８】
１  携帯通信端末
１Ｃ  筐体
１ＣＡ  第１筐体
１ＣＢ  第２筐体
２Ｍ  メインディスプレイ
３  操作キー
４  方向及び決定キー
５  マイク
６  レシーバ
１８  ヒンジ
２２  主制御部（ＣＰＵ）
２４  記憶部（メモリ）
２６  通信部
２８  操作部
２９  入力データ取得部
３０  音声処理部
３２  表示部
３３  表示制御部
３６  非接触型ＩＣカード
３８  ＤＳＲＣ制御部
４０  ＤＳＲＣ通信部
４２  ＧＰＳ通信部
４６  ＤＳＲＣ電源制御部
４８  通信データ変換部
５０ａ、５０ｂ、５０ｃ、５０ｄ  記憶領域
１００  車両
１０２  道路
１０３  通信システム
１０４  料金所
１０６  特定基地局
１１０  ＥＴＣレーン
１１２  ゲート
１１２ａ  バー
１１４  ゲート制御部
１１６  ゲート通信部
【図１】
0005414457.tif 000002
【図２】
0005414457.tif 000003
【図３】
0005414457.tif 000004
【図４】
0005414457.tif 000005
【図５】
0005414457.tif 000006
【図６】
0005414457.tif 000007